(57)【要約】【課題】  従来のブラジャーを装着快適さ及び全体的な外観に関して改良することを課題とする。【解決手段】  二つのブラカップ（３）を含むフロント部（２）及び、ブラジャー装着者の上半身を取り囲んでいる二つのサイドパネル（７）から構成され、サイドパネルの第一末端はフロント部（２）へ側面から取り付けられ、サイドパネルの第二末端は装着者の背中で互いに留められ得るブラジャーにおいて、各サイドパネル（７）は、すなわち体に面していない外側層（１６）と体に面している内側層（７）との二層の生地材料から構成され、それらはサイドパネルの上部縁及び下部縁（１１，１２）の両方において接着層によって互いに接合されていることを特徴とするブラジャーによって解決される。【選択図】  図３
2008274529.tif 000002
【特許請求の範囲】
【請求項１】
二つのブラカップ（３）を含むフロント部（２）、及び
ブラジャー装着者の上半身を取り囲んでいる二つのサイドパネル（７）から構成され、
サイドパネルの第一末端はフロント部（２）に側面から取り付けられ、かつ、サイドパネルの第二末端は装着者の背中で互いに留められ得るブラジャーにおいて、
各サイドパネル（７）は、すなわち体に面していない外側層（１６）と体に面している内側層（１７）との二層の生地材料から成り、それらはサイドパネルの上部縁及び下部縁（１１，１２）の両方で接着層によって互いに接合されることを特徴とする、ブラジャー。
【請求項２】
サイドパネル（７）は各々材料ブランクから構成され、かつ、材料ブランクを折り込むことによって二重層の特徴が成し遂げられ、その結果、折り込みによって作られた縁がサイドパネル（７）の上部縁（１２）を形成し、一方で反対側の、材料ブランクの自由末端同士は互いに接合されてサイドパネル（７）の下部縁（１１）を形成することを特徴とする請求項１に記載のブラジャー。
【請求項３】
サイドパネル（７）の二つの層（１６，１７）の間に、少なくともサイドパネルの上部縁（１２）の領域においてサイドパネル（７）と接合される補強挿入物（１８）が配置されることを特徴とする、請求項１又は２に記載のブラジャー。
【請求項４】
補強挿入物（１８）がネット様弾性材料から作られていることを特徴とする、請求項３に記載のブラジャー。
【請求項５】
下部縁（１１）において、サイドパネル（７）の外側層（１６）材料が、内側層（１７）の自由末端を包んで折り込まれ、且つ折り返し縁（１３）の領域において内側層に接合されることを特徴とする、請求項１〜４のいずれか一項に記載のブラジャー。
【請求項６】
サイドパネル（７）の外側層（１６）材料が、下部縁（１１）において内側へ折り込まれ、且つ折り返し縁（１３）の領域において、内側層（１７）材料の内部表面へ接合されることを特徴とする、請求項１〜４のいずれか一項に記載のブラジャー。
【請求項７】
補強挿入物（１８）が折り返し縁（１３）と内側層（１７）材料の内部表面との間に配置され、かつそれとともに接合されることを特徴とする、請求項６に記載のブラジャー。
【請求項８】
ブラジャー（１）は、ブラカップ（３）からサイドパネル（７）の背後領域まで延びるサポートテープの形状をした二つの肩紐（１０）を有し、肩紐（１０）のサポートテープは、各サイドパネル（７）の二つの層（１６，１７）の間に挿入され、且つそこに取り付けられることを特徴とする、請求項１〜７のいずれか一項に記載のブラジャー。
【請求項９】
肩紐（１０）の各サポートテープは、各サイドパネル（７）の上部縁（１２）において、サイドパネル（７）の二つの層（１６，１７）の間の開口部（２１）を通って挿入され、且つそこに取り付けられることを特徴とする、請求項８に記載のブラジャー。
【請求項１０】
肩紐（１０）のサポートテープは、各サイドパネル（７）の二つの層（１６，１７）間にサイドパネルの下部縁（１１）に到達するまでずっと挿入され、且つサイドパネルの上部縁（１２）領域及び下部縁（１１）領域の両方においてサイドパネル（７）に接合されることを特徴とする、請求項９に記載のブラジャー。
【請求項１１】
接着層が、圧力及び／又は熱を加えることによって作用し得る感熱性材料で作られていることを特徴とする、請求項１〜１０のいずれか一項に記載のブラジャー。
【請求項１２】
接着層が、サイドパネル（７）を形成している材料ブランクの外縁領域に、例えば噴霧、圧延、又は加圧処理によって直接つけられることを特徴とする、請求項１１に記載のブラジャー。
【請求項１３】
部品を相互に接合するために、接合されるべき生地材料片間に置かれる接着テープ（１９及び／又は２０）に接着層がつけられることを特徴とする、請求項１１に記載のブラジャー。
【請求項１４】
接着テープ（１９，２０）が弾性を有することを特徴とする、請求項１３に記載のブラジャー。
【請求項１５】
接着層がポリウレタン、ポリオレフィン、又は熱可塑性エラストマーから作られていることを特徴とする、請求項８〜１４のいずれか一項に記載のブラジャー。
【発明の詳細な説明】
【技術分野】
【０００１】
請求項１のプレアンブル部に係るブラジャーに関する。
【背景技術】
【０００２】
この種類のブラジャーは公知であり、世界中で多くのバリエーションが入手可能である。それらは、広く様々な形状が提供され、中央ストリップによって互いに接合される、二つのブラカップから主に構成されるフロント部を有している。フロント部の各外側側面縁と結合しているのはサイドパネルであって、その自由末端はブラジャーを装着している者の背中において背部閉鎖装置によって留められる。サイドパネルはフロント部に縫い付けられ得る、またはワンピースであり得る。かかるブラジャーの主な機能は、胸の重みを支え、胸の形を作ることでもあるために、サポートテープの形態をした肩紐が典型的に備えられており、ブラカップと背部側サイドパネルとを接合している。勿論、そのようなブラジャーには高い装着快適さに加え、外観を引き立てることが期待されている。
【０００３】
その事実に加えて、一般的にこの種類のブラジャーは多数の部品から構成されており、それらは縫い目によって相互に接合されており、最も頻繁にはジグザグ縫いによって付けられた、それらの縁に沿ったサポートバンド、縁飾り、装飾リボンを有している、というのは特にサイドパネルが弾性材料によってしばしば作られているからである。しかしながら実用において、一方ではこれら縫い目が外側の衣服にあたって目立ち得、総合的な外観を損なう。更に、縫い目によって特定の場所に固定されたこれらテープは、ブラジャーを装着している者の皮膚と直接接触して、特に敏感肌を有する人々に皮膚刺激をもたらし得、従って装着快適さに反する（負の）影響を及ぼす。このことは、サイドパネルの範囲の縫い目に対して特に該当する、というのは良く合ったブラジャーはサイドパネルの適切な締め付けを必要とし、それによってサイドパネルはブラジャーを装着している者の上半身に抗して押し付けられるからである。
【０００４】
しばしば、皮膚刺激は最も頻繁には、ブラジャーの外観を理由としてサイドパネルの内側に配置された、弾性力を補強するネット様挿入物によっても引き起こされる。
【発明の開示】
【発明が解決しようとする課題】
【０００５】
この背景を考慮して、本発明の課題は従来のブラジャーを装着快適さ及び外観に関して改良することである。
【課題を解決するための手段】
【０００６】
この課題は請求項１の特徴を有するブラジャーによって達成される。利益となる実施形態は従属請求項に存在する。
【０００７】
本発明は二層に重ねられたサイドパネルを有するブラジャーをデザインするという着想に基づいており、二つの層は上部縁及び下部縁の外縁において、内部の平面接合剤、特に接着層によって互いに接合されるのみである。サイドパネルの両外側表面、即ち、可視の外側並びに体に面している内側が、いかなる縫い目もない生地材料によって作られるということによって、本発明のブラジャーは最も魅力的な外観を達成するだけでなく、内側でのいかなる縫い目と肌との接触を防ぐ。このようにして、装着快適さが著しく改善され、敏感肌に対してすら、いかなる種類の皮膚刺激の恐怖をも排除する。このことは、例えば弾性ネット様材料で作られた補強挿入物が、ブラジャーの形状特性を改良するために二層の材料の間に配置されたとしても、特に当てはまる。また本発明は、肩紐のサポートテープがその概念設計に含まれることを可能にした。これは、各サポートテープが、サイドパネルの上部縁の領域において対応している開口部から二層間の空間内に挿入されるような単純な方法で行われる。
【０００８】
本発明の更なる特徴及びそこから得られた利点は、以下の記載及び図中に記載された実施形態から明らかとなる。
【発明を実施するための最良の形態】
【０００９】
図１において、本発明に係るブラジャー１が正面図で表されている。ブラジャー１は、胸を収容するための二つのブラカップ３を有する一つのフロント部２を含む。ブラカップ３は従来のデザインで作られ得る、つまり例えば、外側及び内側の両方において生地材料によって覆われた、発泡ゴム核を有することができる。二つのブラカップは、本実施形態では概ね台形をした中央部品４によって互いに接合される。
【００１０】
ブラカップ３の下部縁に沿って、必要に応じて各々アンダーワイヤを収容し得る小さな溝５が示されている。反対側の、ブラカップ３の上部縁は制限がなく、かつ、その取付部品（図示せず）によって、二つの肩紐１０の前端を固定するための取付点をもたらす。
【００１１】
ブラカップ３の側面縁６の各々に取り付けられているのはサイドパネル７であって、その自由末端において、左側のサイドパネル７には図のようにフックバンド８が備えられ、一方で反対側のサイドパネル７にはアイレット９が備えられている。フックバンド８及びアイレット９は一緒になって、公知のように、背部封鎖装置をもたらす。また、サイドパネル７は、下部縁１１及び上部縁１２によって定義される。
【００１２】
一方でサイドパネル７のより詳細なデザインは図２及び５に記載され、他方で図６〜９は肩紐をサイドパネルに取り付けるための様々な実施形態を表す。
【００１３】
図２は概略図で本発明ブラジャーのサイドパネル７の外側図を表している一方で、図４はそれに相当する内側図を表している。図３に表された、特に図２に係る線III〜IIIに沿った断面において、全サイドパネル７がどのような生地材料の一つの単一ブランク切片であるのか、それによってサイドパネルの上部縁１２が一回折り込むことによってどのように形成され、一方で、下部縁１１が折り返し１３を作るために折ることによってどのように形成されるのかが理解され得る。側面縁に関して、前縁１４がブラカップ３の側面縁６に取り付けられるようにデザインされ、一つのサイドパネルの背後縁１５はフックバンド８を取り付けるために使われ、その相手側の片方はアイレット９を取り付けるために使われる。
【００１４】
図３に係るサイドパネル７の断面から、サイドパネル７を形成している生地材料の外側層１６と内側層１７との間に、補強挿入物１８が備えられているのが特に明らかである。この補強挿入物１８は、弾性材料のネット様構造物で有益に作られている。
【００１５】
サイドパネル７を形成するための、個々の部品の組立ては、補強挿入物１８をサイドパネル７の内側層１７の上部縁１２における特定の場所内に固定する接着テープ１９、並びに、折り返し縁１３をサイドパネル７の内側層１７に抗した下部縁１１における特定の場所内に固定する更なる接着テープ１９を用いることによって有利に行われる。補強挿入物１８は、下部縁１１の領域においては取り付けられない。
【００１６】
図２〜図５にも、肩紐１０のサポートテープがサイドパネル７の上部縁１２にどのようにして取り付けられるのかが示されている。肩紐１０は開口部２１（図５）を通って外側層１６と内側層１７との間の空間内にこのようにして挿入され、そこで適切な接合剤、例えば接着剤又は溶接された継ぎ目２２によって固定される。肩紐１０の内側端２３は、固定継ぎ目２２のちょうど下で終了している。
【００１７】
図６〜図９に記載された実施形態は、サイドパネル７を形成している材料の外側層１６の下部折り返し縁１３が内部に向けられており、よって内側層１７の材料によって覆われるという点で図２〜図５に係る実施形態とは異なっている。これは基本的に図７中に記載されている。図７中で、上部縁１２の領域において材料の内側生地層１７に同様に接着テープ１９によって取り付けられている補強挿入物１８が、どのようにして下部縁１１の領域へ延びて折り返し縁１３と内側生地層１７との間の空間内へ入るのか、そしてそこで、折り返し縁１３を内側生地層１７の内部表面と接合する接着テープ２０によってそれがどのようにして特定の場所に固定されるのかということも理解され得る。
【００１８】
図６〜図９中には、肩紐１０が、上部縁１２における入口から下部縁１１まで、どのようにしてサイドパネル７の二つの層１６と１７との間をガイドされるのかも記載している。この実施形態において、肩紐１０は固定点１２における上部縁１２の領域だけでなく、固定点２４における下部縁１１の領域においても特定の場所に固定される。
【００１９】
布片を特定の場所に固定するために用いられる接着テープ１９及び／又は２０には実際上、感熱性接着剤が備えられる。次に、接着テープ１９及び／又は２０は単純に接合されるべき布片の間に置かれ、圧力及び／又は熱を加えることによって当該部品間の強力な接合が成し遂げられ得る。当然、接着テープを用いる代わりに、圧力及び／又は熱を加えることによって同様に作用し得る適切な接合剤を、接合されるべき表面に塗布することも可能である。これら要求を満たす接合剤は公知である。
【００２０】
本発明は、図に記載された代表的な実施形態に制限されず、特許請求項の課題及び目的に応じた実施形態も含む。例えば、「ブラジャー」という用語は、ビキニトップ及び水着を含む、組み込まれた胸支持具による女性の肌に直に触れる全ての衣料を含む。
【図面の簡単な説明】
【００２１】
【図１】本発明のブラジャーの正面図である。
【図２】本発明第一実施形態のサイドパネル外側図の概略図である。
【図３】図２の線III〜IIIに沿った断面図である。
【図４】図２のサイドパネル内側図の概略図である。
【図５】サポートテープの取付領域におけるサイドパネルの斜視図を詳細に表したものである。
【図６】本発明第二実施形態のサイドパネル外側図の概略図である。
【図７】図６の線VII〜VIIに沿った断面図である。
【図８】図６のサイドパネルの内側図の概略図である。
【図９】サポートテープ取付領域におけるサイドパネルの斜視図を詳細に表したものである。
【符号の説明】
【００２２】
１  ブラジャー
２  フロント部
３  ブラカップ
４  中央部品
５  溝
６  側面縁
７  サイドパネル
８  フックバンド
９  アイレット
１０  紐
１１  下部縁サイドパネル
１２  上部縁サイドパネル
１３  折り返し縁
１４  前縁
１５  背後縁
１６  外側層
１７  内側層
１８  補強挿入物
１９  接着テープ
２０  接着テープ
２１  開口部
２２  接着／溶接された継ぎ目、固定点
２３  （肩紐１０の）内側端
２４  固定点
【図１】
2008274529.tif 000003
【図２】
2008274529.tif 000004
【図３】
2008274529.tif 000005
【図４】
2008274529.tif 000006
【図５】
2008274529.tif 000007
【図６】
2008274529.tif 000008
【図７】
2008274529.tif 000009
【図８】
2008274529.tif 000010
【図９】
2008274529.tif 000011
【外国語明細書】
2008274529000001.pdf
2008274529000002.pdf
2008274529000003.pdf
2008274529000004.pdf